(57)【要約】      （修正有）【課題】アート作品が湿気や乾燥により変形するのを防ぎ、額装に準ずる視覚的な効果が得られ、作品の大きさに影響されず、誰でも容易に観賞できる壁掛け具を提供する。【解決手段】アート作品の複写物を壁掛け具の仕様に合わせて拡大または縮小して作成し、複写物２を台紙３と透明カバー１で挟み、複写物と台紙と透明カバーに施したスリット４に支持具５を挿通して係止する壁掛け具であって、下端に凵形の折り曲げ部を形成した透明カバーと厚手の台紙と複写物の上部に横長のスリットを施し、厚紙に折り筋を入れて折り曲げ、前板、底板及び後板を凵形に形成した支持具の底板及び後板を、透明カバーと厚手の台紙と複写物のスリットに挿通して底板で係止して保持する。【選択図】図１
0003213980.tif 000002
【実用新案登録請求の範囲】
【請求項１】
下端に凵形の折り曲げ部を形成した透明カバーと厚手の台紙と複写物並びに厚紙に折り筋を入れて折り曲げ、前板、底板及び後板を凵形に形成した支持具からなり、透明カバーと厚手の台紙と複写物の上部に横長のスリットを施し、前板幅をスリット長さより長く、底板幅と後板幅をスリット長さより短く形成し、前板と後板の上部に穴をあけた支持具を透明カバーと複写物と厚手の台紙のスリットに挿通して底板で係止して保持することを特徴とする壁掛け具。
【考案の詳細な説明】
【技術分野】
【０００１】  本考案は、アート作品の複写物を壁に掛ける壁掛け具に関する。
【背景技術】
【０００２】  従来、アート作品や複写物を壁に掛けて観賞するには、作品又は複写物を額に入れて壁に掛けることが通例であった。また直接壁に貼り付けるなどしていた。近年は壁自体を傷つけたり汚したりすることが嫌われ、またアート作品を額装するとサイズが大きくなり敬遠されるようになっている。しかし、カラー出力機器の発達により、アート作品と遜色のない拡大または縮小した複写物が作れるようになった。このため安価で軽量な壁掛け具を提供することで、容易に作品観賞が可能となる。
【先行技術文献】
【特許文献】
【０００３】
【特許文献１】特願２０１３−１２５０３９
【考案の概要】
【考案が解決しようとする課題】
【０００４】  従来の壁掛け具は、アート作品に合わせて額装するため、作品と額を調和させる必要があった。このため、額装の費用が高価になる欠点があり、また版画などを除くとアート作品自体が一点物であるので、誰もが気に入った作品を手元において観賞することが出来なかった。【０００５】  しかし、作品と殆ど遜色のない複写物を、壁掛け具の仕様に合わせて拡大または縮小して作成し、台紙と透明カバーで挟むようにして支持具で係止すれば、誰でも容易に観賞することができる。【０００６】  本考案は、下端に凵形の折り曲げ部を形成した透明カバーと厚手の台紙と複写物の上部にスリットを施し、厚紙に折り筋を入れて折り曲げ、前板、底板及び後板を側面視凵形に形成する支持具を、透明カバーと複写物と厚手の台紙のスリットに挿通して底板で係止する壁掛け具を提供することを課題とする。
【課題を解決するための手段】
【０００７】  本考案は以上の問題を解決するためになされたものであって、下端に凵形に形成した折り曲げ部を形成した透明カバーと厚手の台紙と複写物並びに厚紙に折り筋を入れて折り曲げ、前板、底板及び後板を凵形に形成し、前板と後板の上部に穴をあけ、前板と後板の上部を開放した支持具からなり、透明カバーと厚手の台紙と複写物の上部に横長のスリットを施し、支持具の前板幅をスリット長さより長く、底板幅及び後板幅をスリット長さより短く形成した支持具を透明カバーと複写物と厚手の台紙のスリットに挿通して底板で係止して保持することを特徴とする壁掛け具である。
【考案の効果】
【０００８】  本考案による効果は、透明カバーと厚手の台紙で複写物を挟む形態であり、上部のスリットに支持具を挿通し、透明カバー下端に形成した凵形の折り曲げ部に複写物と厚手の台紙を差し込んで壁に掛けるので、上部下部ともに透明カバーと台紙で複写物を押さえ、複写物が湿気や乾燥により変形するのを防ぐ効果がある。さらに複写物の前に透明カバーを配するので、額装した場合に準ずる視覚的な効果が得られる。また、壁掛け具の仕様に合わせた複写物を作るので、作品の大きさに影響されない。多くの作品を収蔵する場合でも、同一サイズの複写物を作れば取扱いが簡易になり、作品の商品化を容易に図れる。また図３に示すように支持具の前板幅Ｗ１をスリット幅Ｗより広く、底板幅及び後板幅Ｗ２をスリット幅Ｗより狭く形成するので、支持具を抜き差しして複写物の交換が容易にできる。【０００９】  また、壁掛け具に係止する複写物は、絵、版画、イラスト、写真など多種多様な芸術作品から児童の作品でも良い。
【図面の簡単な説明】
【００１０】
【図１】  本考案の壁掛け具の構成図
【図２】  図１のＡ−Ａ’に於ける壁掛け具断面図
【図３】  本考案に用いる支持具の平面図
【図４】  透明カバーの平面図
【図５】  台紙と複写物を示す平面図
【考案を実施するための形態】
【００１１】  以下、本考案の実施の形態について、図面を参照して説明する。
図１に、本考案の壁掛け具で複写物を係止する実施形態の例を示す。図１は、下端に凵形の折り曲げ部を形成した透明カバー１と厚手の台紙３と複写物２並びに厚紙に折り筋Ｓ１、Ｓ２を入れて折り曲げ、前板５ａ、底板５ｂ及び後板５ｃを凵形に形成した支持具５からなり、透明カバー１と厚手の台紙３と複写物２の上部に横長のスリット４を施し、前板５ａ幅をスリット４長さより長く、底板５ｂ及び後板５ｃの幅をスリット４長さより短く形成し、前板５ａがスリット４を通過せず底板５ｂ及び後板５ｃがスリット４を通過し、前板５ａと後板５ｃの上部に穴６ａ、６ｂをあけた支持具５を透明カバー１と複写物２と厚手の台紙３のスリット４に挿通して底板５ｂで係止して保持することを特徴とする壁掛け具である。
【００１２】  図２に示すのは、図１に於けるＡ−Ａ’断面図である。図示のように、透明カバー１下端に形成した凵形の折り曲げ部に複写物２と厚手の台紙３を差し込み、透明カバー１と複写物２と厚手の台紙３に施したスリット４に、上部に穴をあけた支持具５を挿通し底板５ｂで保持している状態である。
【００１３】  図３に示す支持具平面図におけるＷ１、Ｗ２は、図４と図５に示すＷとの関係において、Ｗ２＜Ｗ＜Ｗ１であり、底板５ｂ幅と後板５ｃ最大幅は共にＷ２である。また折り筋Ｓ１、折り筋Ｓ２を施して凵形に折り曲げ、前板５ａと後板５ｃと底板５ｂを構成し、後板５ｃと底板５ｂをスリット４に挿通できることを示すものである。前板５ａと後板５ｃの高さｈ１、ｈ２は、ｈ１＝ｈ２すると良く、穴６ａと穴６ｂの位置を合わせてフックなどに掛けることができる。
【００１４】  図４に示すのは透明カバー１の平面図である。図中の折り筋ＣＳ１と折り筋ＣＳ２を折り曲げて凵形部１ａを形成し、複写物２と厚手の台紙３を凵形部１ａに差し込み透明カバー１で下部を押さえる機能を持たせるものである。
【００１５】  図５に示すのは、複写物２の幅Ｗｓを厚手の台紙３の幅Ｗｄより縦横共に狭くしスリット４位置を合わせて重ねた平面図であるが、透明カバー１の横幅Ｗｃと複写物２の横幅Ｗｓと厚手の台紙３の横幅Ｗｄを、Ｗｃ≧Ｗｄ＞Ｗｓにすると良好な結果が得られる。
【符号の説明】
【００１６】  １    透明カバー
１ａ  透明カバー凵形部
ＣＳ１、ＣＳ２  透明カバー折り筋
２    複写物
３    台紙
４    スリット
５    支持具
５ａ  支持具前板
５ｂ  支持具底板
５ｃ  支持具後板
６ａ  支持具前板穴
６ｂ  支持具後板穴
Ｓ１、Ｓ２  支持具折り筋
【図１】
0003213980.tif 000003
【図２】
0003213980.tif 000004
【図３】
0003213980.tif 000005
【図４】
0003213980.tif 000006
【図５】
0003213980.tif 000007